(57)【要約】【課題】この発明は、ネットワーク上に接続されている他の機器の有する情報を容易に利用することを可能とし、実用に適したＡＶ機器及びその制御方法を提供することを目的としている。【解決手段】ＤＨＣＰサーバ機能を用いてネットワークに接続されたデバイス１３，１４にアドレスを割り当て、割り当てたアドレスと、そのデバイス１３，１４の識別情報とを対応させた管理テーブルＡを参照して、デバイス１３，１４を選択させるための画面を表示する。この画面から選択されたデバイス１３，１４にＨＴＴＰリクエストを発行し、デバイス１３，１４からのレスポンスが有効である場合、ＨＴＭＬブラウザ機能を用いてデバイス１３，１４からのレスポンスに基づいた表示を実行する。【選択図】    図１
2006004081.tif 000002
【特許請求の範囲】
【請求項１】
ネットワークに接続されたデバイスにアドレスを割り当てるアドレス割り当て手段と、
前記アドレス割り当て手段によりアドレスの割り当てられたデバイスの識別情報と、そのデバイスに割り当てたアドレスとを対応させた管理テーブルを記憶する記憶手段と、
前記記憶手段に記憶された管理テーブルを参照して、前記ネットワークに接続されたデバイスを選択させるための画面を表示する第１の表示手段と、
前記第１の表示手段で表示された画面から選択されたデバイスに対して、通信リクエストを発行する発行手段と、
前記発行手段で発行された通信リクエストに対する前記デバイスからのレスポンスが有効か否かを判別する判別手段と、
前記判別手段で有効であると判別された場合、前記デバイスからのレスポンスに基づいた表示を行なう第２の表示手段とを具備することを特徴とするＡＶ機器。
【請求項２】
ネットワークに接続されたデバイスにＤＨＣＰサーバ機能を用いてアドレスを割り当てるアドレス割り当て手段と、
前記アドレス割り当て手段によりアドレスの割り当てられたデバイスの識別情報と、そのデバイスに割り当てたアドレスとを対応させた管理テーブルを記憶する記憶手段と、
前記記憶手段に記憶された管理テーブルを参照して、前記ネットワークに接続されたデバイスを選択させるための画面を表示する第１の表示手段と、
前記第１の表示手段で表示された画面から選択されたデバイスに対して、ＨＴＴＰリクエストを発行する発行手段と、
前記発行手段で発行されたＨＴＴＰリクエストに対する前記デバイスからのレスポンスが有効か否かを判別する判別手段と、
前記判別手段で有効であると判別された場合、ＨＴＭＬブラウザ機能を用いて前記デバイスからのレスポンスに基づいた表示を行なう第２の表示手段とを具備することを特徴とするＡＶ機器。
【請求項３】
ネットワークに接続されたデバイスにアドレスを割り当てるアドレス割り当て手段と、
前記アドレス割り当て手段によりアドレスの割り当てられたデバイスの識別情報と、そのデバイスにアドレスを最後に割り当てた日時を示す情報とを対応させた管理テーブルを記憶する記憶手段と、
前記アドレス割り当て手段によりアドレスの割り当てられたデバイスの識別情報と、前記記憶手段に記憶された管理テーブルに登録されているデバイスの識別情報とを比較して、所定の判定条件に合致するか否かを判別する第１の判別手段と、
前記第１の判別手段で合致すると判別された場合、前記アドレス割り当て手段によりアドレスの割り当てられたデバイスに対して、通信リクエストを発行する発行手段と、
前記発行手段で発行された通信リクエストに対する前記デバイスからのレスポンスが有効か否かを判別する第２の判別手段と、
前記第２の判別手段で有効であると判別された場合、前記デバイスからのレスポンスに基づいた表示を行なう表示手段とを具備することを特徴とするＡＶ機器。
【請求項４】
ネットワークに接続されたデバイスにＤＨＣＰサーバ機能を用いてアドレスを割り当てるアドレス割り当て手段と、
前記アドレス割り当て手段によりアドレスの割り当てられたデバイスの識別情報と、そのデバイスにアドレスを最後に割り当てた日時を示す情報とを対応させた管理テーブルを記憶する記憶手段と、
前記アドレス割り当て手段によりアドレスの割り当てられたデバイスの識別情報と、前記記憶手段に記憶された管理テーブルに登録されているデバイスの識別情報とを比較して、所定の判定条件に合致するか否かを判別する第１の判別手段と、
前記第１の判別手段で合致すると判別された場合、前記アドレス割り当て手段によりアドレスの割り当てられたデバイスに対して、ＨＴＴＰリクエストを発行する発行手段と、
前記発行手段で発行されたＨＴＴＰリクエストに対する前記デバイスからのレスポンスが有効か否かを判別する第２の判別手段と、
前記第２の判別手段で有効であると判別された場合、ＨＴＭＬブラウザ機能を用いて前記デバイスからのレスポンスに基づいた表示を行なう表示手段とを具備することを特徴とするＡＶ機器。
【請求項５】
前記第１の判別手段は、前記アドレス割り当て手段によりアドレスの割り当てられたデバイスの識別情報が、前記管理テーブルに登録されているデバイスの識別情報の中に存在しないとき、判定条件に合致すると判別することを特徴とする請求項３または４記載のＡＶ機器。
【請求項６】
前記第１の判別手段は、前記アドレス割り当て手段によりアドレスの割り当てられたデバイスが、最後にアドレスを割り当てられた時点から所定の期間以上接続されていないとき、判定条件に合致すると判別することを特徴とする請求項３たまは４記載のＡＶ機器。
【請求項７】
ネットワークに接続されたＡＶ機器を制御する制御方法であって、
前記ネットワークに接続されたデバイスにアドレスを割り当てる工程と、
アドレスの割り当てられたデバイスの識別情報と、そのデバイスに割り当てたアドレスとを対応させた管理テーブルを記憶する工程と、
前記管理テーブルを参照して、前記ネットワークに接続されたデバイスを選択させるための画面を表示する工程と、
表示された画面から選択されたデバイスに対して、通信リクエストを発行する工程と、
発行された通信リクエストに対する前記デバイスからのレスポンスが有効か否かを判別する工程と、
有効であると判別された場合、前記デバイスからのレスポンスに基づいた表示を行なう工程とを具備することを特徴とするＡＶ機器の制御方法。
【請求項８】
ネットワークに接続されたＡＶ機器を制御する制御方法であって、
前記ネットワークに接続されたデバイスにＤＨＣＰサーバ機能を用いてアドレスを割り当てる工程と、
アドレスの割り当てられたデバイスの識別情報と、そのデバイスに割り当てたアドレスとを対応させた管理テーブルを記憶する工程と、
前記管理テーブルを参照して、前記ネットワークに接続されたデバイスを選択させるための画面を表示する工程と、
表示された画面から選択されたデバイスに対して、ＨＴＴＰリクエストを発行する工程と、
発行されたＨＴＴＰリクエストに対する前記デバイスからのレスポンスが有効か否かを判別する工程と、
有効であると判別された場合、ＨＴＭＬブラウザ機能を用いて前記デバイスからのレスポンスに基づいた表示を行なう工程とを具備することを特徴とするＡＶ機器の制御方法。
【請求項９】
ネットワークに接続されたＡＶ機器を制御する制御方法であって、
前記ネットワークに接続されたデバイスにアドレスを割り当てる工程と、
アドレスの割り当てられたデバイスの識別情報と、そのデバイスにアドレスを最後に割り当てた日時を示す情報とを対応させた管理テーブルを記憶する工程と、
アドレスの割り当てられたデバイスの識別情報と、前記管理テーブルに登録されているデバイスの識別情報とを比較して、所定の判定条件に合致するか否かを判別する工程と、
合致すると判別された場合、アドレスの割り当てられたデバイスに対して、通信リクエストを発行する工程と、
発行された通信リクエストに対する前記デバイスからのレスポンスが有効か否かを判別する工程と、
有効であると判別された場合、前記デバイスからのレスポンスに基づいた表示を行なう工程とを具備することを特徴とするＡＶ機器の制御方法。
【請求項１０】
ネットワークに接続されたＡＶ機器を制御する制御方法であって、
前記ネットワークに接続されたデバイスにＤＨＣＰサーバ機能を用いてアドレスを割り当てる工程と、
アドレスの割り当てられたデバイスの識別情報と、そのデバイスにアドレスを最後に割り当てた日時を示す情報とを対応させた管理テーブルを記憶する工程と、
アドレスの割り当てられたデバイスの識別情報と、前記管理テーブルに登録されているデバイスの識別情報とを比較して、所定の判定条件に合致するか否かを判別する工程と、
合致すると判別された場合、アドレスの割り当てられたデバイスに対して、ＨＴＴＰリクエストを発行する工程と、
発行されたＨＴＴＰリクエストに対する前記デバイスからのレスポンスが有効か否かを判別する工程と、
有効であると判別された場合、ＨＴＭＬブラウザ機能を用いて前記デバイスからのレスポンスに基づいた表示を行なう工程とを具備することを特徴とするＡＶ機器の制御方法。
【発明の詳細な説明】
【技術分野】
【０００１】
この発明は、例えばＴＶ（Television）受信機、ＳＴＢ（Set Top Box）、ＤＶＤ（Digital Versatile Disk）レコーダ、ＰＣ（Personal Computer）等を含むＡＶ（Audio Video）機器及びその制御方法に係り、特にネットワークに接続して使用するものに関する。
【背景技術】
【０００２】
周知のように、近年では、首記の如きＡＶ機器をネットワークに接続して、そのネットワーク上に接続されているストレージデバイス等の有するリソースを使用することが可能となっている。
【０００３】
ところで、ネットワークに接続されたＡＶ機器が、同じネットワークに接続されているストレージデバイスの有するリソースを使用するためには、ＡＶ機器に対して、ネットワーク上に接続されているストレージデバイスを示す情報と、各ストレージデバイスがそれぞれ有するリソースを示す情報とを、予めユーザが登録しておく必要がある。
【０００４】
特許文献１及び２には、デバイスオブジェクトの種類や通信路の種類に依存することなく、アプリケーションプログラムを用ることにより、デバイスオブジェクトがネットワーク上の他のデバイスの持つ情報を容易に使用することができるようにしたデバイス制御システムが開示されている。
【０００５】
しかしながら、これら特許文献１及び２に開示されたデバイス制御システムでは、専用のアプリケーションプログラムを必要としているために、ユーザにとっての取り扱いの不便さを十分に払拭しているとは言い難く、まだまだ実用に不向きなものとなっているのが現状である。
【特許文献１】特開２０００−２２２３３５号公報
【特許文献２】米国特許第６５５６８７５号明細書
【発明の開示】
【発明が解決しようとする課題】
【０００６】
そこで、この発明は上記事情を考慮してなされたもので、ネットワーク上に接続されている他の機器の有する情報を容易に利用することを可能とし、実用に適したＡＶ機器及びその制御方法を提供することを目的とする。
【課題を解決するための手段】
【０００７】
この発明に係るＡＶ機器は、ネットワークに接続されたデバイスにアドレスを割り当てるアドレス割り当て手段と；アドレス割り当て手段によりアドレスの割り当てられたデバイスの識別情報と、そのデバイスに割り当てたアドレスとを対応させた管理テーブルを記憶する記憶手段と；記憶手段に記憶された管理テーブルを参照して、ネットワークに接続されたデバイスを選択させるための画面を表示する第１の表示手段と；第１の表示手段で表示された画面から選択されたデバイスに対して、通信リクエストを発行する発行手段と；発行手段で発行された通信リクエストに対するデバイスからのレスポンスが有効か否かを判別する判別手段と；判別手段で有効であると判別された場合、デバイスからのレスポンスに基づいた表示を行なう第２の表示手段とを備えるようにしたものである。
【０００８】
また、この発明に係るＡＶ機器の制御方法は、ネットワークに接続されたＡＶ機器を制御する方法であって；ネットワークに接続されたデバイスにアドレスを割り当てる工程と；アドレスの割り当てられたデバイスの識別情報と、そのデバイスに割り当てたアドレスとを対応させた管理テーブルを記憶する工程と；管理テーブルを参照して、ネットワークに接続されたデバイスを選択させるための画面を表示する工程と；表示された画面から選択されたデバイスに対して、通信リクエストを発行する工程と；発行された通信リクエストに対するデバイスからのレスポンスが有効か否かを判別する工程と；有効であると判別された場合、デバイスからのレスポンスに基づいた表示を行なう工程とを備えるようにしたものである。
【発明の効果】
【０００９】
上記した発明によれば、ネットワークに接続されたデバイスにアドレスを割り当て、アドレスを割り当てたデバイスの識別情報と、割り当てたアドレスとを対応付けた管理テーブルを生成し、その管理テーブルを参照してネットワークに接続されたデバイスを選択させるための画面を表示するようにしているため、ネットワークに接続されているデバイスを容易にユーザに提示することが可能となる。
【００１０】
また、提示されたデバイスから、ユーザが所望のデバイスを選定した場合、選定したデバイスに対して通信リクエストを行ない、正常なレスポンスが得られた場合、そのレスポンスを表示させるようにしているため、ユーザは、選定したデバイスの情報を容易に利用することが可能となる。
【発明を実施するための最良の形態】
【００１１】
以下、この発明の実施の形態について図面を参照して詳細に説明する。図１は、この実施の形態で説明するネットワークシステムの概略を示している。すなわち、このネットワークシステムは、ＡＶ機器としてのＴＶ受信機１１に、ＨＵＢ１２を介して、複数（図示の場合は２つ）のデバイス１３，１４が接続された構成となっている。
【００１２】
このうち、上記ＴＶ受信機１１では、アンテナ１１ａで受信したテレビジョン放送信号に対して、信号処理部１１ｂにより選局及び復調処理を施して映像信号を復元し、表示部１１ｃに映像表示させている。なお、この信号処理部１１ｂは、音声信号も復元して、図示しないスピーカにより音声再生させている。
【００１３】
ここで、このＴＶ受信機１１は、上記した受信動作を含むその全ての動作を制御部１１ｄによって統括的に制御されている。この制御部１１ｄは、ＣＰＵ（Central Processing Unit）等を内蔵し、操作部１１ｅまたはリモートコントローラ１１ｆから送出された操作内容が反映されるように各部をそれぞれ制御している。
【００１４】
この場合、制御部１１ｄは、メモリ部１１ｇを利用している。すなわち、このメモリ部１１ｇは、主として、制御部１１ｄのＣＰＵが実行する制御プログラムを格納した読み出し専用メモリと、該ＣＰＵに作業エリアを提供する読み出し書き込みメモリと、各種の管理テーブル、設定情報及び制御情報等が格納される不揮発性メモリとを含んでいる。
【００１５】
また、上記制御部１１ｄは、通信制御部１１ｈを介して上記ＨＵＢ１２に接続されている。そして、この制御部１１ｄは、ＤＨＣＰ（Dynamic Host Configuration Protocol）サーバ機能とＨＴＭＬ（Hypertext Markup Language）ブラウザ機能とを有し、ＨＵＢ１２に接続されているデバイス１３，１４と通信可能になされている。
【００１６】
一方、上記デバイス１３は、リソースとなる情報やリソースに関する属性情報等の記録されたＨＤＤ（Hard Disk Drive）部１３ａを備え、制御部１３ｂの制御に基づいて、ＨＤＤ部１３ａに対して情報の記録再生が実行される。さらに、この制御部１３ｂは、通信制御部１３ｃを介して上記ＨＵＢ１２に接続されており、ＨＴＴＰ（Hypertext Transfer Protocol）サーバ機能を有するものとする。
【００１７】
また、上記デバイス１４も、リソースとなる情報やリソースに関する属性情報等の記録されたＨＤＤ部１４ａを備え、制御部１４ｂの制御に基づいて、ＨＤＤ部１４ａに対して情報の記録再生が実行される。さらに、この制御部１４ｂは、通信制御部１４ｃを介してＨＵＢ１２に接続されており、ＨＴＴＰサーバ機能を有するものとする。
【００１８】
図２は、上記デバイス１３がネットワークに接続された、つまり、ＨＵＢ１２に接続されたときの、ＴＶ受信機１１の制御部１１ｄの動作をまとめたフローチャートを示している。なお、デバイス１４が接続されたときも、同様な動作が行なわれる。
【００１９】
すなわち、処理が開始（ステップＳ１）され、ステップＳ２で、デバイス１３がＨＵＢ１２に接続されると、制御部１１ｄは、ステップＳ３で、ＤＨＣＰサーバ機能により、接続されたデバイス１３に対してＩＰ（Internet Protocol）アドレスの割り当てを実行する。
【００２０】
その後、制御部１１ｄは、ステップＳ４で、ＩＰアドレスを割り当てたデバイス１３の識別情報［ＭＡＣ（Media Access Control）アドレス］と、割り当てたＩＰアドレスとを対応付けた管理テーブルＡを生成し、メモリ部１１ｇに書き込んで、処理を終了（ステップＳ５）する。
【００２１】
そして、上記のようにしてＩＰアドレスが割り当てられたデバイス１３は、ネットワークを介してＴＶ受信機１１の制御部１１ｄと、ＴＣＰ（Transmission Control Protocol）／ＩＰにより通信を行なうことが可能となる。
【００２２】
図３は、上記管理テーブルＡの詳細を示している。すなわち、図1に示したネットワークシステムの場合、２つのデバイス１３，１４に対して、ＭＡＣアドレスとＩＰアドレスとが対応付けられている。なお、図３に示す管理テーブルＡでは、ＭＡＣアドレスとＩＰアドレスとの他に、ＮｅｔＢＩＯＳ名等のデバイスを識別できるデバイス名を付加することができるようになっている。
【００２３】
図４は、ＴＶ受信機１１の制御部１１ｄが、ネットワークに接続されているデバイス１３，１４の有する情報をユーザに提示する動作をまとめたフローチャートを示している。すなわち、処理が開始（ステップＳ６）され、ステップＳ７で、前記操作部１１ｅまたはリモートコントローラ１１ｆを介してデバイス情報の提示が要求されると、制御部１１ｄは、ステップＳ８で、管理テーブルＡから情報を取得し、ステップＳ９で、前記表示部１１ｃにデバイス選択画面を表示する。
【００２４】
このデバイス選択画面は、図５に示すように、ＩＰアドレスの割り当てられたデバイス１３，１４を全て一覧表示したものである。そして、ユーザがリモートコントローラ１１ｆを操作して、画面上でカーソルｋを移動させることにより、所望のデバイスを選択し決定することができる。
【００２５】
上記制御部１１ｄは、ステップＳ１０で、デバイス選択画面から所定のデバイス１３または１４が選定されるのを待ち、例えばデバイス１３が選定されたと判断された場合（ＹＥＳ）、ステップＳ１１で、選定されたデバイス１３が有効であるか否かを判別し、有効でないと判断された場合（ＮＯ）、処理を終了（ステップＳ１７）する。
【００２６】
また、上記ステップＳ１１で選定されたデバイス１３が有効であると判断された場合（ＹＥＳ）、制御部１１ｄは、ステップＳ１２で、選定されたデバイス１３がＨＴＴＰサーバ機能を有していると仮定し、そのデバイス１３に割り当てられているＩＰアドレス（192.168.0.xxx）を管理テーブルＡから取得し、取得したＩＰアドレスに対してＨＴＴＰリクエスト（http:// 192.168.0.xxx）を発行する。
【００２７】
その後、制御部１１ｄは、ステップＳ１３で、ＨＴＴＰリクエストを発行したデバイス１３からのレスポンスを待ち、ステップＳ１４で、有効なレスポンスがあったか否かを判別する。
【００２８】
そして、有効なレスポンスが得られたと判断された場合（ＹＥＳ）、制御部１１ｄは、ステップＳ１５で、そのレスポンスをＨＴＭＬブラウザ機能を用いて図６に示すように表示部１１ｃに表示させて、処理を終了（ステップＳ１７）する。以後、ユーザは、表示部１１ｃの画面を見ながらＨＴＭＬブラウザを介してデバイス１３と通信を行ない、その情報を利用することができる。
【００２９】
図７は、デバイス１３からのレスポンスを、ＨＴＭＬブラウザ機能を用いて表示部１１ｃに表示した画面の一例を示している。すなわち、ホスト名の変更、ＨＤＤのフォーマット、パーティションの作成／削除、アクセス制限設定／解除等の複数の項目が、リモートコントローラ１１ｆの操作により選択可能になっている。そして、例えばホスト名の変更が選択された場合、図８に示すように、旧ホスト名に対して新ホスト名を入力する画面が表示されるようになる。
【００３０】
また、上記ステップＳ１４で有効なレスポンスが得られないと判断された場合（ＮＯ）、制御部１１ｄは、ステップＳ１６で、ＨＴＭＬブラウザを用いてデバイスの情報を提示することができないものと判断し、図９に示すようなエラーメッセージを表示部１１ｃに表示させて、処理を終了（ステップＳ１７）する。
【００３１】
上記した実施の形態によれば、ＴＶ受信機１１がＤＨＣＰサーバ機能により、ネットワークに接続されたデバイス１３，１４にＩＰアドレスを割り当て、ＩＰアドレスを割り当てたデバイス１３，１４の識別情報と、割り当てたＩＰアドレスとを対応付けた管理テーブルＡを生成するようにしている。このため、ＴＶ受信機１１では、管理テーブルＡを参照することにより、ネットワークに接続されているデバイス１３，１４を容易にユーザに提示することが可能となる。
【００３２】
また、提示されたデバイス１３，１４から、ユーザが所望のデバイス１３を選定した場合、ＴＶ受信機１１は、選定したデバイス１３に対してＨＴＴＰリクエストを行ない、正常なレスポンスが得られた場合、そのレスポンスをＨＴＭＬブラウザにより表示させるようにしている。このため、ユーザは、選定したデバイス１３の情報を容易に利用することが可能となる。
【００３３】
ここで、ＴＶ受信機１１の制御部１１ｄは、ネットワークに接続されたデバイス１３，１４に割り当てたＩＰアドレスと、デバイス１３，１４のＭＡＣアドレスと対応付けた管理テーブルＡを作成するだけでなく、図１０に示すように、各デバイス１３，１４のＭＡＣアドレスとデバイス１３，１４にＩＰアドレスを割り当てた最終日時とを対応付けた管理テーブルＢを作成し、メモリ部１１ｇに記憶する。
【００３４】
このような管理テーブルＢを設けることにより、ＴＶ受信機１１は、ネットワーク接続されたデバイスが、ネットワークに初めて接続されたデバイスか否か、または、最後にＩＰアドレスを割り当ててから一定の期間以上接続されなかったデバイスか否か等を、判別することができる。
【００３５】
そして、このような判別が行なえることにより、ネットワークに初めて接続されたデバイス、または、最後にＩＰアドレスを割り当ててから一定期間以上接続されなかったデバイスに対しては、自動的にＨＴＴＰリクエストを発行して、そのデバイスの情報をＨＴＭＬブラウザを用いてユーザに提示することができる。
【００３６】
図１１は、管理テーブルＢを用いることによって行なわれる上記の動作をまとめたフローチャートを示している。すなわち、処理が開始（ステップＳ１８）され、ステップＳ１９で、例えばデバイス１３がＨＵＢ１２に接続されると、制御部１１ｄは、ステップＳ２０で、ＤＨＣＰサーバ機能により、接続されたデバイス１３に対してＩＰアドレスの割り当てを実行する。
【００３７】
その後、制御部１１ｄは、ステップＳ２１で、メモリ部１１ｇの管理テーブルＡに対して、ＩＰアドレスを割り当てたデバイス１３の識別情報（ＭＡＣアドレス）と、割り当てたＩＰアドレスとを登録する。
【００３８】
そして、制御部１１ｄは、ステップＳ２２で、管理テーブルＡに登録されたＭＡＣアドレスを、メモリ部１１ｇの管理テーブルＢに登録されているＭＡＣアドレスと比較し、ステップＳ２３で、所定の判定条件に合致しているか否かを判別する。
【００３９】
この判定条件としては、管理テーブルＡに登録されたＭＡＣアドレスが管理テーブルＢに登録されているＭＡＣアドレスに一致するか否か、つまり、デバイス１３がネットワークに初めて接続されたものであるか否かや、管理テーブルＡに登録されたＭＡＣアドレスが管理テーブルＢに登録されているＭＡＣアドレスに一致する場合、そのデバイス１３が最後にＩＰアドレスを割り当ててから一定期間以上接続されなかったものであるか否か等である。
【００４０】
そして、ステップＳ２３で所定の判定条件に合致していないと判断された場合（ＮＯ）、制御部１１ｄは、ステップＳ２４で、管理テーブルＢの内容を更新して、処理を終了（ステップＳ３１）する。
【００４１】
また、上記ステップＳ２３で所定の判定条件に合致していると判断された場合（ＹＥＳ）、制御部１１ｄは、ステップＳ２５で、管理テーブルＢの内容を更新した後、ステップＳ２６で、接続されたデバイス１３がＨＴＴＰサーバ機能を有していると仮定し、そのデバイス１３に割り当てられているＩＰアドレスに対してＨＴＴＰリクエストを発行する。
【００４２】
その後、制御部１１ｄは、ステップＳ２７で、ＨＴＴＰリクエストを発行したデバイス１３からのレスポンスを待ち、ステップＳ２８で、有効なレスポンスがあったか否かを判別する。
【００４３】
そして、有効なレスポンスが得られたと判断された場合（ＹＥＳ）、制御部１１ｄは、ステップＳ２９で、そのレスポンスをＨＴＭＬブラウザ機能を用いて、先に図６に示したように表示部１１ｃに表示させて、処理を終了（ステップＳ３１）する。以後、ユーザは、表示部１１ｃの画面を見ながらＨＴＭＬブラウザを介してデバイス１３と通信を行ない、その情報を利用することができる。
【００４４】
また、上記ステップＳ２８で有効なレスポンスが得られないと判断された場合（ＮＯ）、制御部１１ｄは、ステップＳ３０で、ＨＴＭＬブラウザを用いてデバイスの情報を提示することができないものと判断し、図９に示したようなエラーメッセージを表示部１１ｃに表示させて、処理を終了（ステップＳ３１）する。
【００４５】
なお、上記した実施の形態では、ＴＶ受信機１１がネットワークに接続されたデバイス１３，１４の情報を利用することについて説明したが、これは、ＴＶ受信機１１に限ることなく、例えばＳＴＢ、ＤＶＤレコーダ、ＰＣ等を含むＡＶ機器に広く適用することができる。
【００４６】
また、デバイス１３，１４としても、ＨＤＤ部１３ａ，１４ａに情報を記録するものに限らず、例えばＤＶＤやテープ等に情報を記録するものであっても良いことはもちろんである。
【００４７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４８】
【図１】この発明の実施の形態を示すもので、ネットワークシステムの概略を説明するために示すブロック構成図。
【図２】同実施の形態におけるＴＶ受信機のデバイス接続時の動作を説明するために示すフローチャート。
【図３】同実施の形態におけるＴＶ受信機が保持する管理テーブルＡを説明するために示す図。
【図４】同実施の形態におけるＴＶ受信機の主要な動作を説明するために示すフローチャート。
【図５】同実施の形態におけるＴＶ受信機のデバイス選択画面の一例を説明するために示す図。
【図６】同実施の形態におけるＴＶ受信機のＨＴＭＬブラウザを用いた表示画面の一例を説明するために示す図。
【図７】同実施の形態におけるＴＶ受信機のＨＴＭＬブラウザ表示画面の具体例を説明するために示す図。
【図８】同実施の形態におけるＴＶ受信機のＨＴＭＬブラウザ表示画面のさらなる具体例を説明するために示す図。
【図９】同実施の形態におけるＴＶ受信機のエラーメッセージ画面の一例を説明するために示す図。
【図１０】同実施の形態におけるＴＶ受信機が保持する管理テーブルＢを説明するために示す図。
【図１１】同実施の形態におけるＴＶ受信機の管理テーブルＢを用いた主要な動作を説明するために示すフローチャート。
【符号の説明】
【００４９】
１１…ＴＶ受信機、１２…ＨＵＢ、１３，１４…デバイス。
【図１】
2006004081.tif 000003
【図２】
2006004081.tif 000004
【図３】
2006004081.tif 000005
【図４】
2006004081.tif 000006
【図５】
2006004081.tif 000007
【図６】
2006004081.tif 000008
【図７】
2006004081.tif 000009
【図８】
2006004081.tif 000010
【図９】
2006004081.tif 000011
【図１０】
2006004081.tif 000012
【図１１】
2006004081.tif 000013